(57)【要約】【課題】音声統合ネットワーク経由でも通話できる通話先であっても、音声多重通信装置をその音声統合ネットワークに接続していないときには、通常の電話の手順と同様にさらに別のチャネルを接続するように自動的に判別する。【解決手段】電話機からの音声データと、コンピュータデータとを多重化する多重化手段と、音声統合ネットワークに接続する機能とデータのみのネットワークに接続する機能とを持つ通信手段を有し、音声統合ネットワークに接続されている場合には、すでに接続している通信チャネルに電話の音声データを多重化し、接続されていない場合には、新たな呼接続を行い通常の電話として通話する。【選択図】        図１
2004248033.tif 000002
【特許請求の範囲】
【請求項１】
音声データとコンピュータデータとを多重化して伝送することのできる音声多重通信装置において、
電話機とコンピュータが接続され、電話機からの音声をディジタル化した音声データと、コンピュータからのコンピュータデータとを多重化する多重化手段と、
コンピュータデータのデータパケットと音声データとが統合されて扱われている音声統合ネットワークに接続する機能と、コンピュータデータのデータパケットのみを扱うデータネットワークに接続する機能とを持つ通信手段とを有し、
前記音声統合ネットワークを介して通話できる通話先に対して電話をかける際に、
この音声多重通信装置がすでに前記音声統合ネットワークに接続されている場合には、すでに接続している前記音声統合ネットワークへの通信チャンネルに電話の音声データを多重化して送信し、
前記音声統合ネットワークに接続されていない場合には、前記通信手段が新たな呼接続を行い、前記電話機から通常の電話としての通話を可能とすることを特徴とした音声多重通信装置。
【請求項２】
請求項１において、前記通信手段はＩＳＤＮ網に接続する通信手段であって、前記音声統合ネットワークへの通信チャネルはＩＳＤＮのＢチャネルであることを特徴とした音声多重通信装置。
【請求項３】
請求項１において、前記通信手段はＩＳＤＮ網およびＩＰ網に接続する通信手段であって、前記音声統合ネットワークへの通信チャネルはＩＰ網に接続するためのＩＳＤＮのＢチャネルであることを特徴とした音声多重通信装置。
【請求項４】
請求項１において、前記通信手段は電話網およびｘＤＳＬでＩＰ網に接続する通信手段であって、前記音声統合ネットワークへの通信チャネルはｘＤＳＬでＩＰ網に接続するためのチャネルであることを特徴とした音声多重通信装置。
【発明の詳細な説明】
【０００１】
【発明の属する技術分野】
本発明は、音声データとコンピュータデータとを多重化して伝送することのできる音声多重通信装置に関するものである。
【０００２】
【従来の技術】
従来より図６に示すように、ＩＳＤＮ網を介して他の拠点（第２の拠点）のルータ６１２との呼を張ることにより、その拠点のネットワーク６１０上にあるサーバ６０７と、第１の拠点にあるコンピュータ３を接続させるターミナルアダプタ（ＴＡ）が存在する。なおかつ一般的なターミナルアダプタは、第１の拠点の電話機２を、ＩＳＤＮ網を介してさらに別の拠点（第３の拠点）電話機６０６と、同時に接続させることのできる機能を有している。
【０００３】
つまりこの場合は、コンピュータ３とサーバ６０７との間のデータパケットが、ＩＳＤＮの１本のＢチャネルを使って送信される一方で、電話機２と電話機６０６の間の音声が、ＩＳＤＮのもう１本のＢチャネルを使って送信されることとなる。
【０００４】
また近年、Ｖｏｉｃｅ  ｏｖｅｒ  ＩＰ（ＶｏＩＰ）などの技術の発達により、電話などの音声とコンピュータなどのデータを統合して扱うことのできるネットワークの構築がなされるようにきた。このような音声統合ネットワーク１１での電話音声の扱いは、図７に示すように、電話機６を収容したＰＢＸ５からの電話音声を音声パケット化装置（ＶｏＩＰゲートウェイ）４のようなものでパケットデータ化し、これを音声統合ネットワーク１１に流すこととなる。
【０００５】
また、音声パケット化装置（ＶｏＩＰゲートウェイ）４とＩＳＤＮルータの機能を併せ持った音声多重通信装置（ＶｏＩＰルータ）も存在する。この場合は図７に示すように電話機２からの音声を音声多重通信装置（ＶｏＩＰルータ）７０１でパケットデータ化し、コンピュータ３からのパケットデータと多重した上でＩＳＤＮ網９に送信し、他の拠点（第２の拠点）の音声統合ネットワーク１１に接続させることができる。
【０００６】
つまりこの場合は、コンピュータ３とサーバ８との間のデータパケットが、ＩＳＤＮの１本のＢチャネルを使って送信され、電話機１と電話機２の間の音声はパケットデータ化および多重化されて、同じＢチャネルを使って送信される。またこの場合は、第１の拠点にある電話機１も、第２の拠点の内線電話網に収容された電話と同様に扱うことができるよう第２の拠点で管理され、電話機１から電話機２へ、もしくは電話機２から電話機１への電話をかけるときは内線番号をダイヤルしてかけることができる。
【０００７】
また、このような音声多重通信装置（ＶｏＩＰルータ）に前記のターミナルアダプタの機能を持たせたものも考えられる。すなわち、図６に示すような音声データと統合されないコンピュータデータだけを扱うネットワーク６１０と、コンピュータ３を接続させているときはターミナルアダプタとして動作させ、図７に示すようなコンピュータ３のデータパケットと音声データのデータパケットとが統合された音声統合ネットワーク１１と接続されているときは音声多重通信装置（ＶｏＩＰルータ）として動作するものである。
【０００８】
【発明が解決しようとする課題】
このようなターミナルアダプタとしての機能を持った音声多重通信装置（ＶｏＩＰルータ）においては、コンピュータ３をＩＳＤＮ網のＢチャネル１本を用いて接続している最中に、新たに電話をかけようとする場合には、通話先が図７に示す第２の電話機のように、音声統合ネットワーク経由１１でも通話できる場合、すなわち内線通話ができる場合には、コンピュータ３の接続先が音声統合ネットワーク１１であれば、電話の音声をパケット化してコンピュータ３からのデータパケットと多重化し同一のＢチャネル上に送信し、コンピュータ３の接続先が音声統合ネットワーク経由で通話できるネットワークでなければ、通常の電話の手順と同様に、さらに別のＩＳＤＮのＢチャネルを発呼して接続するという方式が望ましい。
【０００９】
しかしながら、従来この種の音声多重通信装置（ＶｏＩＰルータ）では、通話先の電話番号などにより音声統合ネットワーク経由でも通話できるか否かを判別しているすぎず、音声統合ネットワーク経由でも通話できる通話先であっても、音声多重通信装置（ＶｏＩＰルータ）をその音声統合ネットワークに接続していないときには、通常の電話の手順と同様にさらに別の１ＳＤＮのＢチャネルを接続しなければならないのに、それを自動的に判別できない、という欠点があった。
【００１０】
【課題を解決するための手段】
上記の課題を解決し、目的を達成するために、本発明によれば、音声データとコンピュータデータとを多重化して伝送することのできる音声多重通信装置において、電話機とコンピュータが接続され、電話機からの音声をディジタル化した音声データと、コンピュータからのコンピュータデータとを多重化する多重化手段と、コンピュータデータのデータパケットと音声データとが統合されて扱われている音声統合ネットワークに接続する機能と、コンピュータデータのデータパケットのみを扱うデータネットワークに接続する機能とを持つ通信手段とを有し、前記音声統合ネットワークを介して通話できる通話先に対して電話をかける際に、この音声多重通信装置がすでに前記音声統合ネットワークに接続されている場合には、すでに接続している前記音声統合ネットワークへの通信チャネルに電話の音声データを多重化して送信し、前記音声統合ネットワークに接続されていない場合には、前記通信手段が新たな呼接続を行い、前記電話機から通常の電話としての通話を可能にすることにより、音声統合ネットワーク経由でも通話できる通話先であっても、音声多重通信装置をその音声統合ネットワークに接続していないときには、通常の電話の手順と同様にさらに別のチャネルを接続するように自動的に判別するものである。
【００１１】
【発明の実施形態】
（実施形態１）
以下に本発明を実施した音声多重通信装置について説明する。
【００１２】
図１は、本発明の特徴を表すシステム図である。図１において、１は本発明を実施した音声多重通信装置、２は音声多重通信装置１に接続される第１の電話機、３は音声多重通信装置１に接続されるコンピュータ、４は音声パケット化装置（ＶｏＩＰゲートウェイ）、５はＰＢＸ、６はＰＢＸ５の内線網に収容され、別に外線番号を持つ第２の電話機、７は音声非統合ネットワークに接続された第１のサーバ、８は音声統合ネットワークに接続された第２のサーバ、９はＩＳＤＮ網、１０は音声非統合ネットワーク、１１は音声統合ネットワーク、１２は１０と９を結合する第１のルータ、１３は１１と９を結合する第２のルータであり、１，２，３は第１の拠点に、４，５，６，８，１１，１３は第２の拠点に、７，１０，１２は第３の拠点に設置される。
【００１３】
また、図２は音声多重通信装置１の内部を示したブロック図であり、２０１は音声多重通信装置１全体を制御する制御部、２０２は第１の電話機２と接続する電話回線、２０３は電話回線２０２とのインターフェースとなり、Ａ／Ｄ変換およびＤ／Ａ変換を行う電話インターフェース部、２０４は電話インターフェース部２０３からの音声信号を圧縮し、後記２０７からの圧縮信号を伸張する圧縮・伸張部、２０５はコンピュータ３と接続するＬＡＮ回線、０６はＬＡＮ回線２０５とのインターフェースとなるＬＡＮインターフェース部、２０７は圧縮・伸張部２０４とＬＡＮインターフェース部２０６からのデータを多重化し、かつ後記２０８からの多重化データを分離する多重・分離部、２０８はＩＳＤＮ網９とのインターフェースとなるＩＳＤＮインターフェース部である。
【００１４】
このような構成の音声多重通信装置における動作を説明する。
【００１５】
まず、第１の拠点にいるユーザがコンピュータ３から、第２の拠点の音声統合ネットワーク１１上にある第２のサーバ８にアクセスするために、第１の拠点と第２の拠点間をＩＳＤＮのＢチャネル１本を用いて接続している最中に、第１の電話機２から第２の拠点のＰＢＸ５に収容された第２の電話機６に電話をかける場合に、第１の電話機２と第２の電話機６の音声を、すでに音声統合ネットワーク１１への接続のために使用されているのと同じＢチャネルに多重させて伝送する場合について説明する。
【００１６】
この場合には、音声多重通信装置１と音声統合ネットワーク１１につながる第２のルータ１３の間がすでにＩＳＤＮで接続されているので、従来の技術で説明したように、第１の電話機２と第２の電話機６との間は内線と同様の扱いで通話することができる。
【００１７】
第１の拠点にいるユーザが第１の電話機２をオフフックして第２の電話機６の内線番号をダイヤルすると、第１の電話機２と電話回線２０２で接続された音声多重通信装置１の電話インターフェース部２０３がこれを検知し制御部２０１へ通知する。ここで制御部２０１は、検知したダイヤルが内線番号であり（３０２）、音声統合ネットワーク１１への第２のルータ１３とＩＳＤＮで接続されており（３０３）、ダイヤルした番号の電話機は現在接続されている音声統合ネットワーク１１につながるＰＢＸ５に収容されていることを確認する（３０４）。
【００１８】
音声多重通信装置１の制御部２０１は、内線での接続をすべく（３０５）、すでにデータ通信に使用しているＢチャネルを通して、ＩＳＤＮ網９、第２のルータ１３、音声統合ネットワーク１１を介し、音声パケット化装置４に対してコマンドを送り、第１の電話機２から第２の電話機６への電話であることを通知する。ここでは音声パケット化装置４が第２の拠点内の内線番号を記憶しており、これに従ってこの通知を受けた音声パケット化装置４はＰＢＸ５を介して、第２の電話機６を鳴動させる。第２の拠点にいるユーザが第２の電話機６をオフフックすることによって、第１の電話機２と第２の電話機６の間の呼が成立し（３０８）、第１の電話機２と第２の電話機６の間の通話が可能となる。
【００１９】
第１の電話機２と第２の電話機６の間の呼が成立すると、第１の電話機２からの音声は、アナログ音声信号となって電話回線２０２を経て、音声多重通信装置１の電話インターフェース部２０３でＡ／Ｄ変換され、圧縮・伸張部２０４で音声圧縮を行い圧縮された音声データとなる。この圧縮された音声データは多重・分離部２０７で、コンピュータ３からのデータパケットと多重され、回線インターフェース部２０８、ＩＳＤＮ網９、第２のルータ１３へ送られる。さらに音声パケットは、音声統合ネットワーク１１を介して音声パケット化装置４に送信される。
【００２０】
第２の電話機６からの音声は、これと逆の経路をたどって第１の電話機２に送られる。
【００２１】
このような手段で、第１の電話機２から第２の電話機６の番号へ電話をかけることができる。
【００２２】
次に、第１の拠点にいるユーザがコンピュータ３から第３の拠点の音声非統合ネットワーク１０上にある第１のサーバ７に対するアクセスするために、第１の拠点と第３の拠点間をＩＳＤＮのＢチャネル１本を用いて接続している最中に、第１の電話機２から第２の拠点のＰＢＸ５に収容された第２の電話機６に電話をかける場合に、第１の電話機２から第２の電話機６への音声を、すでに音声非統合ネットワーク１０への接続のために使用されているＢチャネルと別のＢチャネルを用いて伝送すべく発呼する場合について説明する。
【００２３】
この場合、音声多重通信装置１と音声統合ネットワーク１１につながる第２のルータ１３との間がＩＳＤＮで接続されていないので、第１の電話機２と第２の電話機６との間は内線と同様の扱いで通話することができない。
【００２４】
第１の拠点にいるユーザが第１の電話機２をオフフックして第２の電話機６の内線番号をダイヤルすると、第１の電話機２と電話回線２０２で接続された音声多重通信装置１の電話インターフェース部２０３がこれを検知し制御部２０１へ通知する。ここで制御部２０１は、検知したダイヤルが内線番号であり（３０２）、音声統合ネットワーク１１への第２のルータ１３とＩＳＤＮで接続されており（３０３）、ダイヤルした番号の電話機は現在接続されている音声統合ネットワーク１１につながるＰＢＸ５に収容されていることを確認する（３０４）。
【００２５】
第１の拠点にいるユーザが第１の電話機２をオフフックして第２の電話機６の内線番号をダイヤルすると、第１の電話機２と電話回線２０２で接続された音声多重通信装置１の電話インターフェース部２０３がこれを検知し制御部２０１へ通知する。ここで制御部２０１は、検知したダイヤルが内線番号であるが（３０２）、音声統合ネットワークのルータとはＩＳＤＮで接続されていないことを確認する（３０３）。
【００２６】
制御部２０１は、通知された第２の電話機６の内線番号を表１に示すようなテーブルに基づいて、第２の拠点のＰＢＸ５が収容する電話に割り振られた外線番号に変換する（３０６）。ＩＳＤＮ網９にはこの番号で発呼し、新たなＢチャネルの使用を開始する（３０７）。
【００２７】
ＩＳＤＮ網９から直接、音声多重通信装置１が発呼する呼を受けたＰＢＸ５は、外線番号に従って第２の電話機６を鳴動させる。第２の拠点にいるユーザが第２の電話機６をオフフックすることによって、第１の電話機２と第２の電話機６の間の呼が成立し（３０８）、第１の電話機２と第２の電話機６の間の通話が可能となる。
【００２８】
第１の電話機２と第２の電話機６の間の呼が成立すると、第１の電話機２からの音声は、アナログ音声信号となって電話回線２０２を経て、音声多重通信装置１の電話インターフェース部２０３でＡ／Ｄ変換されるが、圧縮・伸張部２０４で音声圧縮を行わず、多重・分離部２０７でもコンピュータ３からのデータパケットと多重せずに、回線インターフェース部２０８を介して、ＩＳＤＮ網９をもう１本のＢチャネルを経由してＰＢＸ５に送信される。
【００２９】
第２の電話機６からの音声は、これと逆の経路をたどって第１の電話機２に送られる。
【００３０】
このような手段で、第１の電話機２から第２の電話機６の番号へ電話をかけることができる。
【００３１】
さらに図４に示すように、第１の拠点にいるユーザがコンピュータ３から、第２の拠点の音声統合ネットワーク１１上にある第２のサーバ８にアクセスするために、第１の拠点と第２の拠点間をＩＳＤＮのＢチャネル１本を用いて接続している最中に、第１の電話機２から第４の拠点のＰＢＸ４０４に収容された第３の電話機４０５に電話をかける場合に、第１の電話機２から第３の電話機４０５への音声を、第２の拠点の音声統合ネットワーク１１への接続のために使用されているＢチャネルと別のＢチャネルを用いて伝送すべく発呼する場合について説明する。
【００３２】
この場合も、音声多重通信装置１と音声統合ネットワーク４０２につながる第３のルータ４０１との間がＩＳＤＮで接続されていないので、第１の電話機２と第３の電話機４０５との間は内線と同様の扱いで通話することはできない。
【００３３】
第１の拠点にいるユーザが第１の電話機２をオフフックして第３の電話機４０５の内線番号をダイヤルすると、第１の電話機２と電話回線２０２で接続された音声多重通信装置１の電話インターフェース部２０３がこれを検知し制御部２０１へ通知する。ここで制御部２０１は、検知したダイヤルは内線番号であり（３０２）、この時音声多重通信装置１は音声統合ネットワークへのルータとＩＳＤＮで接続されているものの（３０３）、ダイヤルした番号の電話機はルータを介してＩＳＤＮで接続されている音声統合ネットワークにつながるＰＢＸ（この場合はＰＢＸ５）に収容されているものではないため（３０４）、通知された第２の電話機６の内線番号を表１に示すようなテーブルに基づいて、第２の拠点のＰＢＸ５が収容する外線番号に変換する（３０６）。ＩＳＤＮ網９にはこの番号で発呼し、新たなＢチャンネルの使用を開始する（３０７）。
【００３４】
ＩＳＤＮ網９から直接、音声多重通信装置１が発呼する呼を受けたＰＢＸ５は、外線番号に従って第２の電話機６を鳴動させる。第２の拠点にいるユーザが第２の電話機６をオフフックすることによって、第１の電話機２と第２の電話機６の間の呼が成立し（３０８）、第１の電話機２と第２の電話機６の間の通話が可能となる。
【００３５】
（実施形態２）
このほか図５に示すように、音声多重通信装置１からのインターフェースとしてはＩＳＤＮと同じインターフェースで、網内でＩＰデータとその他のものを分離し、ＩＰ網５０１とＩＳＤＮ網５０２とに分けて伝送する網を用い、音声多重通信装置１と音声統合ネットワーク１１につながる第２のルータ１３の間をＩＰ網５０１で接続されているような場合も、これまで記してきたことと同様に扱われる。すなわち、通話先が音声統合ネットワーク１１を利用できる場合は音声パケットを多重してＩＰ網５０１を経由して伝送し、利用できない場合はＰＢＸ５へ新たなＩＳＤＮのＢチャネルを接続すべく発呼する。
【００３６】
さらに、音声多重通信装置１からのインターフェースとしては電話網のインターフェースとｘＤＳＬのインターフェースを併せ持ち、網内でｘＤＳＬで伝送されたデータをＩＰデータとして分離し、ＩＰ網５０１と電話網５０２とに分けて伝送する網を用い、音声多重通信装置１と音声統合ネットワーク１１につながる第２のルータ１３の間をＩＰ網５０１で接続されているような場合も、これまで記してきたことと同様に扱われる。
【００３７】
【表１】
2004248033.tif 000003
【００３８】
【発明の効果】
以上説明したように、本発明によれば、前記音声統合ネットワークを介して通話できる通話先に対して電話をかける際に、この音声多重通信装置がすでに前記音声統合ネットワークに接続されている場合には、すでに接続している前記音声統合ネットワークへの通信チャネルに電話の音声データを多重化して送信し、前記音声統合ネットワークに接続されていない場合には、前記通信手段が新たな呼接続を行い、前記電話機から通常の電話としての通話を可能にすることにより、音声統合ネットワーク経由でも通話できる通話先であっても、音声多重通信装置をその音声統合ネットワークに接続していないときには、通常の電話の手順と同様にさらに別のチャネルを接続するように自動的に判別するという効果がある。
【図面の簡単な説明】
【図１】本発明の実施形態のシステム構成を示すブロック図。
【図２】図１の音声多重通信装置１の内部を示すブロック図。
【図３】図１の制御部２０１の動作を示すフローチャート。
【図４】本発明の実施形態のシステム構成をさらに説明するためのブロック図。
【図５】本発明の第２の実施形態のシステム構成を示すブロック図。
【図６】従来の構成を示すブロック図。
【図７】従来の構成を示すブロック図。
【符号の説明】
１  音声多重通信装置
２  第１の電話機
３  コンピュータ
４  音声パケット化装置（ＶｏＩＰゲートウェイ）
５  ＰＢＸ
６  第２の電話機
９  ＩＳＤＮ網
１０  音声非統合ネットワーク
１１  音声統合ネットワーク
２０１  制御部
２０３  電話インターフェース部
２０４  圧縮・伸張部
２０６  ＬＡＮインターフェース部
２０７  多重・分離部
２０８  ＩＳＤＮインターフェース部
【図１】
2004248033.tif 000004
【図２】
2004248033.tif 000005
【図３】
2004248033.tif 000006
【図４】
2004248033.tif 000007
【図５】
2004248033.tif 000008
【図６】
2004248033.tif 000009
【図７】
2004248033.tif 000010